(57)【要約】【課題】  人手を介することなく、また、制御手段等に負荷をかけることなく、内蔵された時計回路に対して、正確な現在時刻を設定したり、正確な現在時刻に修正したりすることが可能な携帯電話端末を提供する。【解決手段】  本発明の携帯電話端末１００は、受信した標準電波の時刻情報に基づいて現在時刻を自動修正することが可能な時計機能を備えている。そして、標準電波を受信する標準電波受信手段１０と、送受信アンテナ２６との信号のやり取りを行わずに擬似的に圏外の状態を作り出してオフラインモードにすることができるオフラインモード設定手段と、受信した標準電波の時刻情報に基づいて現在時刻を自動修正する時刻修正手段とを備え、オフラインモード設定手段によりオフラインモードに設定した後に標準電波受信手段により受信した時刻情報に基づいて、時刻修正手段が現在時刻を自動修正する。【選択図】  図１
2005315674.tif 000002
【特許請求の範囲】
【請求項１】
受信した標準電波の時刻情報に基づいて現在時刻を自動修正することが可能な時計機能を備えた携帯電話端末であって、
前記標準電波を受信する標準電波受信手段と、
擬似的に圏外の状態を作り出してオフラインモードに設定するオフラインモード設定手段と、
受信した標準電波の時刻情報に基づいて現在時刻を自動修正する時刻修正手段とを備え、
前記オフラインモード設定手段によりオフラインモードに設定した後に前記標準電波受信手段により受信した時刻情報に基づいて、前記時刻修正手段により現在時刻を自動修正するようになされていることを特徴とする携帯電話端末。
【請求項２】
前記標準電波受信手段により標準電波が良好に受信できない場合は、予め設定した所定時間が経過した後は前記オフラインモード設定手段により設定したオフラインモードを解除して時刻修正動作を中止するようになされていることを特徴とする請求項１に記載の携帯電話端末。
【請求項３】
携帯電話の主機能となる発着信などの優先処理の有無を判定する優先処理判定手段を備え、
前記優先処理判定手段が優先処理が有る旨の判定をした場合は、予め設定した所定の時間が経過した後は前記オフラインモード設定手段によりオフラインモードに設定することなく、時刻修正動作を中止するようになされていることを特徴とする請求項１または請求項２に記載の携帯電話端末。
【請求項４】
前記標準電波受信の有無を判定する標準電波受信判定手段を備え、
前記標準電波受信判定手段が受信できない旨の判定をした場合は、予め設定した所定の時間が経過した後は前記オフラインモード設定手段によりオフラインモードに設定することなく、時刻修正動作を中止するようになされていることを特徴とする請求項１から請求項３のいずれかに記載の携帯電話端末。
【発明の詳細な説明】
【技術分野】
【０００１】
本発明は時計を内蔵した携帯電話端末に係わり、特に、現在時刻の自動修正が可能な時計機能を備えた携帯電話端末に関する。
【背景技術】
【０００２】
携帯電話端末の普及により、腕時計の代わりに携帯電話端末によって時刻を確認する人が増大するようになった。また、携帯電話端末によるインターネットへの接続の普及により、電子メールなどの送受信時刻を正確に表示する要求も増大するようになった。しかしながら、携帯電話端末の時刻表示に狂いが生じていても、全く修正しないか、使用者の手動の操作で修正が行われていた。このような使用者による手動の操作では、設定した時刻と実際の現在時刻との間に若干のずれが生じてしまう場合が多い。そこで、長波標準電波などにより提供される時刻情報を用いて時計回路の現在時刻を自動的に修正するいわゆる電波時計を用いることが、例えば、特許文献１において提案されるようになった。
【０００３】
この特許文献１にて開示された携帯電話端末においては、携帯電話端末の充電器に電波時計を設けて、この電波時計により充電時に携帯電話端末の時計回路を正確な時刻に修正するようにしている。このため、特許文献１で提案された携帯電話端末においては、携帯電話端末に電波時計などの余分な回路や装置を搭載する必要がないので、携帯電話端末が大型にならないという点では効果的である。しかしながら、通常、携帯電話端末の充電は自宅などで行なわれるため、旅行や出張などの外出時には正確な時刻の修正が行えないという問題があった。
【０００４】
そこで、特許文献２においては、携帯電話端末自体に電波時計を搭載するようにし、携帯電話端末の時計回路の現在時刻を手動操作によることなく修正できるようにすることが提案されている。この特許文献２にて提案されたものにおいては、携帯電話端末自体に電波時計を搭載するようにするものであり、当該携帯電話端末を持ち運ぶことにより、時刻情報を提供する電波を良好に受信できる場所で時刻設定を行なうことが可能となる。
【特許文献１】特開平９−２４７２５５号公報
【特許文献２】特開２０００−２０６２７６号公報
【発明の開示】
【発明が解決しようとする課題】
【０００５】
しかしながら、上述した特許文献２にて提案された携帯電話端末においては、携帯電話端末の小型化、軽量化が要求され、回路規模を大きくできないという背景にあっては、制御回路部分は、電話機能を実現する回路部分と、電波時計を実現する回路部分との両方を制御することになる。このため、電波時計による現在時刻の設定や修正時において、着信があるなどの携帯電話端末の本来の主処理が開始された場合、制御回路部分の負荷が大きくなって好ましくないという問題があった。
【０００６】
そこで、本発明は、上記問題点を解決するためになされたものであって、人手を介することなく、また、制御手段等に負荷をかけることなく、内蔵された時計回路に対して、正確な現在時刻を設定したり、正確な現在時刻に修正したりすることが可能な携帯電話端末を提供することを目的とする。
【課題を解決するための手段】
【０００７】
本発明の携帯電話端末は、受信した標準電波の時刻情報に基づいて現在時刻を自動修正することが可能な時計機能を備えている。そして、上記目的を達成するため、標準電波を受信する標準電波受信手段と、擬似的に圏外の状態を作り出してオフラインモードに設定するオフラインモード設定手段と、受信した標準電波の時刻情報に基づいて現在時刻を自動修正する時刻修正手段とを備え、オフラインモード設定手段によりオフラインモードに設定した後に標準電波受信手段により受信した時刻情報に基づいて、時刻修正手段により現在時刻を自動修正するようになされていることを特徴とする。
【０００８】
このように、オフラインモードに設定した後に、受信した時刻情報に基づいて現在時刻を自動修正するようにしているので、ＣＰＵに過大な負荷をかけることなく正確な現在時刻を設定したり、正確な現在時刻に修正したりすることが可能となる。この場合、標準電波受信手段により標準電波が良好に受信できない場合は、予め設定した所定時間が経過した後はオフラインモード設定手段により設定したオフラインモードを解除して時刻修正動作を中止するようになされているのが望ましい。
【０００９】
また、携帯電話の主機能となる発着信の有無を判定する発着信判定手段を備え、発着信判定手段が発着信が有る旨の判定をした場合は、予め設定した所定の時間が経過した後はオフラインモード設定手段によりオフラインモードに設定することなく、時刻修正動作を中止するようになされているのが望ましい。さらに、標準電波受信の有無を判定する標準電波受信判定手段を備え、標準電波受信判定手段が受信できない旨の判定をした場合は、予め設定した所定の時間が経過した後はオフラインモード設定手段によりオフラインモードに設定することなく、時刻修正動作を中止するようになされているのが望ましい。
【発明の効果】
【００１０】
本発明においては、オフラインモードに設定した後に、受信した時刻情報に基づいて現在時刻を自動修正するようにしているので、ＣＰＵに過大な負荷をかけることなく正確な現在時刻を設定したり、正確な現在時刻に修正したりすることが可能となる。
【発明を実施するための最良の形態】
【００１１】
ついで、本発明の一実施の形態を図１乃至図３に基づいて説明するが、本発明はこの実施の形態に何ら限定されるものでなく、本発明の目的を変更しない範囲で適宜変更して実施することが可能である。なお、図１は、本実施の形態の携帯電話端末の概略構成を示すブロック図である。図２は、図１の携帯電話端末のＣＰＵが実行する時刻修正動作を示すフローチャートである。図３は、長波標準電波により提供される時刻情報を説明する図である。
【００１２】
図１に示すように、この実施の形態の携帯電話端末１００は、長波標準電波を受信して時刻情報を中央処理装置（Central Processing Unit：ＣＰＵ）２１に提供する電波時計部１０と、電波時計部１０から提供された時刻情報に基づいてＲＴＣ（Real Time Clock：時計回路）２３に現在時刻を設定したり現在時刻を修正したりするとともに、携帯電話機能を実現する携帯電話部２０とを備えている。電波時計部１０は、時、分、年月日、曜日を提供する長波標準電波である時刻情報信号（図３参照）を受信、検波して、デコードし、デコードして得られた時、分、年月日、曜日などからなる時刻情報をＣＰＵ２１に供給する。
【００１３】
このため、電波時計部１０は、電波時計用アンテナ１１と、受信部１２とデコード部１７とスイッチ（ＳＷ）１８とから構成されている。受信部１２は、増幅器１３と、ＢＰＦ（Band Pass Filler）１４と、検波部１５と、ＡＧＣ回路１６とを備えている。そして、この電波時計部１０により、標準周波数局（ＪＪＹ）より送信された長波標準電波（この場合は、４０ｋＨｚ（あるいは６０ｋＨｚ）の搬送波が用いられて送信されている長波標準電波（電波形式Ａ１Ｂ）とする）を受信し、この長波標準電波により提供される時刻情報に基づいて、後述する中央処理装置（Central Processing Unit：ＣＰＵ）２１が、ＲＴＣ（Real Time Clock：時計回路）２３に現在時刻を設定したり、ＲＴＣ２３の現在時刻を修正したりする。
【００１４】
ここで、ＲＴＣ（Real Time Clock：時計回路）２３に現在時刻を設定（修正）する場合、電波時計用アンテナ１１により受信された時刻情報信号（タイムコード信号：図３参照）は増幅器１３に供給される。この場合、時刻情報信号は微弱な電波であるため、この増幅器１３において必要なレベルにまで増幅され、増幅後の時刻情報信号がＢＰＦ１４に供給される。ＢＰＦ１４はこれに供給された時刻情報信号を帯域制限し、必要な帯域の時刻情報信号を検波部１５に供給する。
【００１５】
検波部１５はＢＰＦ１４からの時刻情報信号を検波し、検波後の信号を２系統に分け、それぞれに異なった時定数のＬＰＦ（Low Pass Filler）をかけて、一方はデコード部１７に供給し、他方はＡＧＣ回路１６に供給する。ＡＧＣ回路１６は検波部１５からの信号に基づいて、入力信号が飽和しないように増幅器１３のゲインを調整する。デコード部１７は、検波部１５において搬送波が除去された時刻情報信号をシリアル出力に波形整形し、ＣＰＵ２１にＨ−Ｌ（High-Low）の２値化データとして供給する。
【００１６】
携帯電話部２０は、中央処理装置（Central Processing Unit：ＣＰＵ）２１と、ＲＯＭ（Read Only Memory）／ＲＡＭ（Random Access Memory）よりなるメモリ２２と、ＲＴＣ（Real Time Clock：時計回路）２３と、表示部２４と、キー入力部２５と、送受信アンテナ２６と、受信部２６ａおよび送信部２６ｂと、局発部（周波数シンセサイザ）２７と、信号処理部２８と、マイクロフォン２８ａと、スピーカ２８ｂと、バイブレータ２８ｃと、内部バス（以下、単に「バス」という）２９とを備えている。
【００１７】
ここで、ＣＰＵ２１は、この携帯電話端末１００の各部の動作を制御するシステム制御部であり、ＲＴＣ２３に現在時刻を設定したり、現在時刻を修正したりする。また、特定の時間間隔でタイマ割込を発生する複数のタイマや、所定の動作回数をカウントするカウンタも備えている。ＲＯＭ／ＲＡＭよりなるメモリ２２において、ＲＯＭにはＣＰＵ２１が実行する送信処理や受信処理の各種電話機能プログラムや、時刻設定処理や時刻修正処理のプログラムや、設定された相手先へ自動発信する自動発信処理等のプログラムが格納されている。また、ＲＡＭには電波時計部１０から供給されたデコードされた時刻データ（時刻情報信号）や、自動発信する相手先の電話番号や、取り込んだ自機の位置情報や、ユーザ設定データ格納エリアおよびＣＰＵ２１のワークエリア等が設定されている。
【００１８】
ＲＴＣ（Real Time Clock：時計回路）２３は、水晶発振器の発信クロックにより時刻情報を生成するようになされているとともに、メモリ２２のＲＡＭに取り込まれた時刻データがＣＰＵ２１により読み込まれてＲＴＣ２３に設定されるようになされている。これにより、ＣＰＵ２１は表示部２４のディスプレイ駆動回路を制御して、生成した時刻情報を表示部２４のディスプレイに表示させ、当該携帯電話端末１００の時計機能やカレンダ機能、アラーム機能などが実現されるようになされている。そして、上述のような電波時計部１０を設けることにより、電波時計部１０からの時刻情報によって、ＣＰＵ２１は、ＲＴＣ２３に現在時刻を設定したり、現在時刻を修正したりすることが可能となる。これにより、ＲＴＣ２３への時刻設定やＲＴＣ２３の時刻修正は人手を介すことなく自動的に行なうことができるようになる。
【００１９】
ここで、電波時計部１０からのデコードされた時刻情報信号は、ＣＰＵ２１に供給される。ＣＰＵ２１は、電波時計部１０からの時刻情報信号を監視し、図３に示すように、Ｐ０信号、Ｍ信号が連続して供給されたときには、ＲＴＣ２３への現在時刻合わせ処理（時刻修正処理）を開始して、ＲＴＣ２３に０秒を記録する。この後、順次、電波時計部１０から供給される時刻情報を、ＲＴＣ２３において利用可能なフォーマットに合わせて、これをメモリ２２のＲＡＭに記録する。つまり、時刻情報信号は、図３に示すように、予め決められた形態の２値化データであるので、これをＲＴＣ２３に設定可能な情報に変換し、これをメモリ２２のＲＡＭに記録していく。
【００２０】
メモリ２２のＲＡＭに取り込まれた時刻データは、図３に示すように、０秒（Ｍ信号）から５５秒の間に送出するようにされており、図３において、５５秒から５９秒（Ｐ０信号の立ち上がり）までの間に、ＣＰＵ２１により読み出され、ＲＴＣ２３に設定される。なお、時刻情報信号の取り込み時において、電波が遮断したり、エラーなどが発生したりした場合には、再びＰ０信号、Ｍ信号を再度確認してから、上述したのと同様の処理を行なう。このように、ＣＰＵ２１と、メモリ２２のＲＡＭとを用いることにより、ＲＴＣ２３に電波時計部１０からの時刻情報に応じた現在時刻設定をしたり、時刻の修正をしたりすることができるようになる。
【００２１】
また、表示部２４はディスプレイ駆動回路およびディスプレイなどにより構成されている。また、キー入力部２５はキーボードを備えていて、入力されたキーは表示画面に表示されるようになされている。そして、これらの各機能ブロックはバス２９を介してデータや命令の授受を行っている。送受信アンテナ２６は受信部２６ａおよび送信部２６ｂに接続されており、これらの受信部２６ａおよび送信部２６ｂには局発部（周波数シンセサイザ）２７が接続されている。そして、受信部２６ａおよび送信部２６ｂは信号処理部２８およびバス２９を介してＣＰＵ２１に接続されている。
【００２２】
信号処理部２８には音声コーデック回路およびチャネルコーデック回路を備えており、音声コーデック回路は受話信号あるいは音声信号を復号すると共に、入力された送話信号を音声圧縮符号化する。チャネルコーデック回路は、データの圧縮／伸長処理やスクランブル／デスクランブル処理を行っており、例えば受信した信号がデータであった場合は、チャネルコーデック回路に供給されたデータのデスクランブル処理および伸長処理を行って、再生されたデータが出力される。
【００２３】
このように構成される携帯電話部２０において、通話相手の着呼に応答して、ＣＰＵ２１は着呼処理を実行する。つまり、ＣＰＵ２１は、信号処理部２８を制御して、スピーカ２８ａから着信音または着信メロディのような呼び出し音を出力したり、バイブレータ２８ｃを作動させてユーザに着信を認識させるようにしている。ユーザは、呼び出し音によって“着信（着呼）あり”を認識し、キー入力部２５を用いて着信操作を入力する。したがって、接続状態が確立され、ＣＰＵ２１は通話処理を実行する。つまり、通話相手の音声信号が送受信アンテナ２６で受信され、受信部２６ａ、信号処理部２８を介してスピーカ２８ａから通話相手の音声信号が出力される。
【００２４】
一方、ユーザの音声信号は、マイクロフォン２８ｂから入力され、信号処理部２８および送信部２６ｂを介して送受信アンテナ２６から送信される。また、ユーザは、キー入力部２５を用いて所望の通話相手の電話番号を入力することができる。ユーザが電話番号を入力すると、これに応答してＣＰＵ２１が表示部２４のディスプレイ駆動回路を制御して、表示部２４のディスプレイに電話番号を表示する。続いて、ユーザがキー入力部２５を用いて発呼を指示すると、ＣＰＵ２１は発呼処理を実行する。そして、接続状態が確立されると、ＣＰＵ２１は上述のような通話処理を実行する。
【００２５】
また、携帯電話部２０では、メールサーバから電子メールの着信通知が送受信アンテナ２６で受信され、受信部２６ａ、信号処理部２８およびバス２９を介してＣＰＵ２１に取り込まれる。したがって、ＣＰＵ２１は、着信通知に応じて着信処理を実行する。具体的には、ＣＰＵ２１は、信号処理部２８を制御して、電子メールの着信音や着信メロディをスピーカ２８ａから出力する。また、ＣＰＵ２１は、表示部２４のディスプレイ駆動回路を制御して、表示部２４のディスプレイに“メッセージがあります。”などのメッセージを表示することもできる。これに応じてユーザは、キー入力部２５を操作して、メールサーバにアクセスし、電子メールを受信することができる。
【００２６】
具体的には、送受信アンテナ２６で受信された電子メールは、受信部２６ａ，信号処理部２８およびバス２９を介してＣＰＵ２１に一端取り込まれ、ＣＰＵ２１からバス２９を介してメモリ２２のＲＡＭに記憶される。そして、ユーザがキー入力部２５を操作して、電子メールの表示を指示すると、ＣＰＵ２１がメモリ２２のＲＡＭに記憶された電子メールを読み出し、表示部２４のディスプレイ駆動回路を制御して、表示部２４のディスプレイに電子メールの本文が表示される。なお、電子メールの本文を表示等した後に、ユーザがキー入力部２５を操作して、電子メールの消去を指示すると、メモリ２２のＲＡＭに記憶された電子メールが消去される。
【００２７】
一方、ユーザは、キー入力部２５を操作して、メッセージ文や所望の電子メールアドレスを入力し、発呼操作を実行すると、メールサーバにアクセスし、電子メールを送信することができる。つまり、所望の相手に電子メールを送信することができる。また、ＲＴＣ２３から出力される時間情報に基づいて、ＣＰＵ２１は表示部２４のディスプレイ駆動回路を制御し、表示部２４のディスプレイに暦（日付）や時間等を表示することができる。
【００２８】
また、ユーザがキー入力部２５を操作してスケジュールの表示を指示すると、これに応じてＣＰＵ２１は、メモリ２２のＲＡＭに格納されたスケジュールに対応するデータを読み出し、表示部２４のディスプレイ駆動回路を制御して、表示部２４のディスプレイにスケジュールの画面を表示する。スケジュールの画面が表示されると、ユーザは、キー入力部２５を用いて予定などを入力することができる。予定などが入力され、スケジュールが更新されると、ＣＰＵ２１は更新されたスケジュールのデータをメモリ２２のＲＡＭに記憶する。それ以降は、このような動作等が繰り返し実行される。
【００２９】
上述のように構成される携帯電話端末１００は、長波標準電波により提供される時刻情報を受信し、受信した時刻情報を用いて、ＲＴＣ２３に現在時刻を設定したり、ＲＴＣ２３の現在時刻を修正したりすることができる。ところが、ＣＰＵ２１は、各部に共通の制御部であるため、例えば、ＲＴＣ２３への時刻設定中において、着信があった場合に、時刻設定処理をそのまま続行したのでは、ＣＰＵ２１の負荷が大きくなってしまう。また、長波標準電波による時刻情報は、時、分、年月日、曜日などの一連の情報が、ほぼ１分間で送信されるようにされているので、秒単位まで正確に時刻を合わせるためには、時刻を補正するなどの何らかの処理が必要であり、時刻設定時や修正時におけるＣＰＵ２１の負荷が大きくなりがちである。
【００３０】
そこで、本実施の形態における携帯電話端末１００においては、時刻の設定時や修正時にはオフラインモードに設定して、発着信などの優先処理ができないようにしている。ついで、電波時計部１０を用いたＣＰＵ２１による時刻修正の動作を図２のフローチャートに基づいて以下に説明する。ここで、予め設定された時刻（この場合は、例えば、毎週日曜日の午前２時に時刻修正がなされるように設定されているものとするが、この時刻修正の設定は毎日の所定の時間であってもよく、使用者が自由に設定できるようになされている）になって、ＣＰＵ２１が時刻修正の動作（時刻の自動修正動作）を開始すると、ＣＰＵ２１は電波時計部１０のスイッチ１８にオン指令を送出するとともに、第１タイマーを起動させる。
【００３１】
これにより、電波時計部１０のスイッチ１８はオン動作して、受信部１２に電源（図示せず）が供給されて受信部１２は受信動作を開始することとなる。ついで、ステップＳ１０２にて、発着信などの優先処理が行われているか否かの判定を行う。なお、この優先処理の判定においては、信号処理部２８でスピーカ２８ａまたはマイクロフォン２８ｂが使用されているか否か、あるいはＣＰＵ２１が一定値（例えば、最大値の５０％）以上の負荷があるか否かの判定を行い、スピーカ２８ａおよびマイクロフォン２８ｂが不使用で、負荷が一定値未満である場合は優先処理が行われていないと判定するようになされている。
【００３２】
ここで、発着信などの優先処理が行われていない場合は、ステップＳ１０２にて「Ｎｏ」と判定してステップＳ１０８に進める。一方、発着信などの優先処理が行われている場合は、ステップＳ１０２にて「Ｙｅｓ」と判定して、次のステップＳ１０４に進め、所定のＸ１時間（例えば、第１タイマーの起動から５分）が経過したか否かの判定を行う。所定のＸ１時間（待機時間）が経過していない場合は、Ｘ１時間が経過するまで繰り返して実行する。
【００３３】
ステップＳ１０４の処理を繰り返して実行している間にＸ１時間（待機時間）が経過すると、ステップＳ１０４にて「Ｙｅｓ」と判定して、次のステップＳ１０６に進め、所定のＸ２時間（例えば、第１タイマーの起動から３０分）が経過したか否かの判定を行う。ここで、所定のＸ２時間（リトライ時間）が経過していない場合は、ステップＳ１０６にて「Ｎｏ」と判定して、ステップＳ１０２に戻り、上述した動作を繰り返して実行する。また、所定のＸ２時間（リトライ時間）が経過すると、ステップＳ１０６にて「Ｙｅｓ」と判定して、時刻修正の動作（時刻の自動修正動作）を終了する。
【００３４】
ステップＳ１０８においては、標準電波を受信できるか否かの判定を行う。ここで、標準電波を受信できる状態にあると、即ち、電波時計部１０からのデコードされた時刻情報信号を受信すると、ステップＳ１０８にて「Ｙｅｓ」と判定してステップＳ１１４に進める。一方、電波時計部１０からのデコードされた時刻情報信号を受信できない場合は、ステップＳ１０８にて「Ｎｏ」と判定して、次のステップＳ１１０に進め、所定のＹ１時間（例えば、第１タイマーの起動から１０分）が経過したか否かの判定を行う。所定のＹ１時間（待機時間）が経過していない場合は、Ｙ１時間が経過するまで繰り返して実行する。
【００３５】
ステップＳ１１０の処理を繰り返して実行している間にＹ１時間（待機時間）が経過すると、ステップＳ１１０にて「Ｙｅｓ」と判定して、次のステップＳ１１２に進め、所定のＹ２時間（例えば、第１タイマーの起動から１時間）が経過したか否かの判定を行う。ここで、所定のＹ２時間（リトライ時間）が経過していない場合は、ステップＳ１１２にて「Ｎｏ」と判定して、ステップＳ１０８に戻り、上述した動作を繰り返して実行する。また、所定のＹ２時間（リトライ時間）が経過すると、ステップＳ１１２にて「Ｙｅｓ」と判定して、時刻修正の動作（時刻の自動修正動作）を終了する。
【００３６】
ステップＳ１１４に進むと、ＣＰＵ２１は信号処理部２８を制御して、送受信アンテナ２６との信号のやり取りを中止させて、擬似的に圏外の状態を作り出させ、この携帯電話端末１００をオフラインモードに設定する。これにより、オフラインモードに設定されて、送受信アンテナ２６との信号のやり取りが行えなくなる。ついで、ステップＳ１１６に進めて標準電波の受信を開始するとともに第２タイマーを起動させる。この後、ステップＳ１１８に進めて、標準電波のフレームデータを受信する。ここで、受信した時刻情報信号（タイムコード信号）は、標準周波数局（ＪＪＹ）の長波標準電波であり、図３に示すように、時、分、年月日のデータが送信されてくる。つまり、各分正時の時刻データが、ほぼ１分（６０秒）かけて送信されてくる。
【００３７】
このため、ＣＰＵ２１は、図３に示した時刻情報信号の先頭を受信した場合に、ＲＴＣ２３に０秒を記録する。換言すれば、時刻情報信号の先頭を受信した場合に、ＲＴＣ２３の現在時刻を０秒にリセットする。時刻情報信号の先頭は、時刻情報信号のＭ信号を受信した場合に、これを各分正時の時刻情報信号の先頭であると判別することができる。すなわち、この実施の形態において用いる時刻情報信号である長波標準電波は、図３に示すように、時、分、通算日、年（西暦下２桁）、曜日、うるう秒情報、時と分に対応するパリティ、予備ビットなどと、先頭マーカー信号（Ｍ信号）と、ポジションマーカー信号（Ｐ０信号からＰ５信号）を有するものである。
【００３８】
時、分、通算日、年（西暦下２桁）、曜日に関しては、２進数（ＢＣＤ(Binary Coded Decimal Notation)）で表されている。各信号のパルス幅は、Ｍ信号およびＰ０信号からＰ５信号は、０．２秒、２進数の「０」が０．８秒、２進数の「１」が０．５秒である。また、各パルス信号の立ち上がりが各秒となるようにされている。そして、時刻情報信号により提供される時刻情報の全部（分、時、年月日、曜日）を取り込んだ後、２回目のＭ信号を受信する前、すなわち、次の分となる前に、ＣＰＵ２１は、ＲＡＭ２２に取り込んだ時刻情報（分、時、年月日、曜日）の各データをＲＴＣ２３の該当エリアに書き込むようにする。そこで、ステップＳ１２０に進めて、所定時間Ｚ（例えば、第２タイマーの起動から３分）以内に全てのフレームデータを受信したか否かの判定を行う。
【００３９】
この場合、所定の時間Ｚが経過しても全てのフレームデータの受信が完了しなければ、ステップＳ１２０にて「Ｎｏ」と判定して、ステップＳ１２６に進める。このステップＳ１２６においては、ステップＳ１１４にて設定したオフラインモードを解除するために、ＣＰＵ２１は信号処理部２８を制御して、送受信アンテナ２６との信号のやり取りを再開させる。これにより、オフラインモードは解除されて、送受信アンテナ２６との信号のやり取りが行えるようになる。一方、所定時間Ｚ内に全てのフレームデータの受信を完了すると、ステップＳ１２０にて「Ｙｅｓ」と判定する。
【００４０】
ここで、フレームデータの受信の完了とは、図３に示す先頭マーカー信号（Ｍ信号）およびポジションマーカー信号（Ｐ０信号からＰ５信号）を全て受信し、かつマーカー間の信号を全て受信すること、即ち、０秒から５５秒までの信号を全て受信した時がフレームデータ受信完了を意味する。ついで、ステップＳ１２２に進め、受信した全てのフレームデータを解析して、ＲＴＣ２３に書き込みができるデータに変換した後、メモリ２２のＲＡＭで取り込むようにする。この後、ステップＳ１２４に進め、ＣＰＵ２１はメモリ２２のＲＡＭから時刻情報を読み出し、これを次のＭ信号を受信する前に、ＲＴＣ２３にセットする。これにより、年、月、日、曜日、時、分、秒までの現在時刻を正確にＲＴＣ２３にセットすることができる。
【００４１】
ついで、ステップＳ１２４で現在時刻を修正すると、ステップＳ１２６に進めて、ステップＳ１１４にて設定したオフラインモードを解除するために、ＣＰＵ２１は信号処理部２８を制御して、送受信アンテナ２６との信号のやり取りを再開させる。これにより、オフラインモードは解除されて、送受信アンテナ２６との信号のやり取りが行えるようにした後、時刻修正の動作（時刻の自動調整）を終了させる。
【００４２】
上述したように、本発明においては、オフラインモードに設定した後に、受信した時刻情報に基づいて現在時刻を自動修正するようにしているので、ＣＰＵに過大な負荷をかけることなく正確な現在時刻を設定したり、正確な現在時刻に修正したりすることが可能となる。
【図面の簡単な説明】
【００４３】
【図１】本実施の形態の携帯電話端末の概略構成を示すブロック図である。
【図２】図１の携帯電話端末のＣＰＵが実行する時刻修正動作を示すフローチャートである。
【図３】長波標準電波により提供される時刻情報を説明する図である。
【符号の説明】
【００４４】
１００…携帯電話端末、１０…電波時計部、１１…受信部、１２…電波時計用アンテナ、１３…増幅器、１５…検波部、１６…ＡＧＣ回路、１７…デコード部、１８…スイッチ、２０…携帯電話部、２２…メモリ、２３…ＲＴＣ、２４…表示部、２５…キー入力部、２６…送受信アンテナ、２６ａ…受信部、２６ｂ…送信部、２７…局発部（周波数シンセサイザ）、２８…信号処理部、２８ａ…スピーカ、２８ａ…スピーカ、２８ｂ…マイクロフォン、２８ｃ…バイブレータ、２９…バス
【図１】
2005315674.tif 000003
【図２】
2005315674.tif 000004
【図３】
2005315674.tif 000005